(57)【要約】      （修正有）【課題】ｄＴＲＩ（ｄｉｓｔａｌ  Ｔｒａｎｓ  Ｒａｄｉａｌ  Ｉｎｔｅｒｖｅｎｔｉｏｎ）の際に手を穿刺しやすい姿勢にできる穿刺補助具を提供する。【解決手段】穿刺補助具１００は、患者のいずれかの手Ｈによって握持可能な握り部１０と、握り部の外方に配置され、手の穿刺部位を露出させるとともに手の指を伸ばした状態とすることを妨げる壁部２０し、壁部は、壁部の装着状態において手を少なくとも部分的に包囲する第１壁部２１と、装着状態において患者の前腕を少なくとも部分的に包囲する第２壁部２２を備える。【選択図】図１
2019208954.tif 000002
【特許請求の範囲】
【請求項１】
患者のいずれかの手によって握持可能な握り部と、
前記握り部の外方に配置され、前記手の穿刺部位を露出させるとともに前記手の指を伸ばした状態とすることを妨げる壁部と、を有する、穿刺補助具。
【請求項２】
前記壁部は、前記壁部の装着状態において前記手を少なくとも部分的に包囲する第１壁部と、
前記装着状態において前記患者の前腕を少なくとも部分的に包囲する第２壁部と、を備える、請求項１に記載の穿刺補助具。
【請求項３】
前記壁部は、長尺状に形成され、
前記第１壁部及び前記第２壁部は、前記壁部の長手方向における端部側から中間部に向かって窄むように形成された円錐台の斜面を備える、請求項２に記載の穿刺補助具。
【請求項４】
前記握り部は、前記手の内側に粘着によって貼付可能な部材を備える、請求項１〜３のいずれか１項に記載の穿刺補助具。
【請求項５】
前記握り部は、放射方向における内方に弾性変形可能な部材を備える、請求項１〜３のいずれか１項に記載の穿刺補助具。
【請求項６】
前記壁部は、穿刺針を前記穿刺部位に穿刺可能な開口部を備える、請求項１〜５のいずれか１項に記載の穿刺補助具。
【請求項７】
前記握り部及び前記壁部の少なくともいずれかは、第１係合部と、前記第１係合部と係合可能に構成するとともに前記第１係合部と係合した状態でシート部材を丸めた状態に保持する第２係合部と、を備え、
前記第２係合部は、前記シート部材を丸める方向に沿って複数箇所設けられる、請求項１〜６のいずれか１項に記載の穿刺補助具。
【請求項８】
前記握り部及び前記壁部は、同一の前記シート部材から形成される、請求項７に記載の穿刺補助具。
【発明の詳細な説明】
【技術分野】
【０００１】
本発明は、穿刺補助具に関する。
【背景技術】
【０００２】
カテーテル手技の一つとして、患者の腕の血管（例えば、橈骨動脈）を穿刺し、患者の腕の血管に形成した穿刺部位を介して各種の医療用長尺体を血管内に導入し、病変部位に対する処置や治療を行う手技が知られている。
【０００３】
穿刺の際には、穿刺部位を穿刺に適した状態とするために様々な器具が使用され得る。上記のように患者の橈骨動脈に穿刺を行う場合、患者の腕や手の姿勢を維持し易くするために枕等の器具が用いられる（特許文献１参照）。
【先行技術文献】
【特許文献】
【０００４】
【特許文献１】特開２００６−１０９９６３号公報
【発明の概要】
【発明が解決しようとする課題】
【０００５】
近年では、上記部位に代えて前腕ではなく、手に位置する橈骨動脈を穿刺し、当該穿刺部位を介して治療を行うｄＴＲＩ（ｄｉｓｔａｌ  Ｔｒａｎｓ  Ｒａｄｉａｌ  Ｉｎｔｅｒｖｅｎｔｉｏｎ）によるカテーテル手技が試みられている。ｄＴＲＩの場合、穿刺の際には手を握った状態とすることが望ましい。しかし、このような手の橈骨動脈等に穿刺する際に手を穿刺しやすい姿勢とする器具はいまだ開発されていない。
【０００６】
そこで本発明は、ｄＴＲＩの際に手を穿刺しやすい姿勢にできる穿刺補助具を提供することを目的とする。
【課題を解決するための手段】
【０００７】
上記目的を達成する本発明に係る穿刺補助具は、患者のいずれかの手によって握持可能な握り部と、前記握り部の外方に配置され、前記手の穿刺部位を露出させるとともに前記手の指を伸ばした状態とすることを妨げる壁部と、を有する。
【発明の効果】
【０００８】
本発明に係る止血器具によれば、握り部と壁部によって手を握った状態にでき、ｄＴＲＩの際に手を穿刺しやすい姿勢にすることができる。
【図面の簡単な説明】
【０００９】
【図１】本発明の実施形態に係る穿刺補助具を示す斜視図である。
【図２】図１に示す穿刺補助具を示す正面図である。
【図３】図１に示す穿刺補助具を示す平面図である。
【図４】図１に示す穿刺補助具を包囲部に係る略円筒形状の中心軸を通る位置で切断した状態を示す斜視図である。
【図５】図１に示す穿刺補助具を形成するシート部材を示す図である。
【図６】図４に示す穿刺補助具の変形例を示す斜視図である。
【図７】穿刺補助具に係る握り部の変形例を示す断面図である。
【図８】穿刺補助具に係る壁部の変形例を示す平面図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１〜図５は、本発明の実施形態に係る穿刺補助具１００の説明に供する図である。
【００１２】
本実施形態に係る穿刺補助具１００は、手の甲側を走行する橈骨動脈（例えば、スナッフボックス内の橈骨動脈又はスナッフボックスよりも指先側を走行する遠位橈骨動脈）を穿刺針によって穿刺する際等に用いられる。なお、スナッフボックス内の橈骨動脈とは、橈骨動脈の末梢側で、短母指伸筋腱と長母指伸筋腱の間に位置する部位の橈骨動脈（ネッター原書第４版解剖学的カギ煙草入れ内の橈骨動脈）であり、以下ｓ−ＲＡという。遠位橈骨動脈は、橈骨動脈の背側手根枝で、長母指伸筋腱と、長橈側手根伸筋腱の間に位置する橈骨動脈であり、以下ｄ−ＲＡという。
【００１３】
穿刺補助具１００は、図１、図２を参照して概説すれば、握り部１０と、壁部２０と、を有する。以下、詳述する。
【００１４】
（握り部）
握り部１０は、図２等に示すように、患者のいずれかの手Ｈによって握持可能に構成される。握り部１０は、手Ｈを穿刺しやすい形（姿勢）とするように装着状態において掌側に配置されるように構成している。握り部１０は、後述するように図５に示す一枚の平坦なプラスチック等のシート部材Ｓの握り部分Ｓ１０を円筒状に丸めることによって、手Ｈを過度ではなく、リラックスして適度な力で握ることができるような形に構成している。
【００１５】
ただし、掌側から手Ｈを穿刺しやすい形とできれば、握り部は、上記のような構成に限定されない。ここで、本明細書において「適度な力で握る」とは、手Ｈの周囲の筋肉が硬直し、血管が収縮して穿刺が困難にならないことを意図しており、イメージの一例としてガラスのコップ等の割れ易い物を割れないようにつかむ等が挙げられる。
【００１６】
（壁部）
壁部２０は、図１、図３に示すように握り部１０の外方に配置され、手Ｈの穿刺部位を露出させるとともに手Ｈの指を伸ばした状態とすることを妨げる第１壁部２１を備える。壁部２０は、図１、図３等に示すように第２壁部２２と、第１開口部２３と、第２開口部２４と、をさらに備える。壁部２０は、図１、図３等に示すように長尺状に構成している。
【００１７】
壁部２０は、後述するように図５に示す一枚の平坦なプラスチック等のシート部材Ｓの包囲部分Ｓ２０を円筒状に丸めて形成している。本実施形態において壁部２０の略円筒形状には底面にあたる部分を設けておらず、中空に形成している。以下では、壁部２０の長手方向を長手方向Ｘと記載する。
【００１８】
第１壁部２１は、壁部２０の装着状態において手Ｈの外方から手Ｈを少なくとも部分的に包囲する壁面を構成する。本明細書において「包囲」とは、手Ｈの穿刺部位を穿刺しやすい形とするために、手Ｈにおける穿刺補助具１００の装着状態において第１壁部２１等が指先等を外方から覆うことを意味する。
【００１９】
第２壁部２２は、図１、図３等に示すように壁部２０の装着状態において患者の前腕における手側の部位を少なくとも部分的に包囲する壁面を構成する。第２壁部２２は、図１、図３等に示すように第１壁部２１から連なって設けられる。
【００２０】
第１開口部２３は、図１等に示すように壁部２０における略円柱形状の側面に設けている。ｄＴＲＩでは手Ｈに穿刺部位が形成されるため、本実施形態において第１開口部２３は第１壁部２１に設けている。第１開口部２３は、本実施形態において図１、図５に示すように後述するシート部材Ｓの一部に切り込みを形成し、切り込んだ部分を折り返すように構成している。第１開口部２３は、本明細書において穿刺針を穿刺部位に穿刺可能な開口部にあたる。
【００２１】
第２開口部２４は、図１等に示すように第２壁部２２における側面（周面）に設けている。第２開口部２４は、後述するように穿刺補助具１００を一枚のシート部材Ｓから形成するにあたり、シート部材Ｓの握り部分Ｓ１０をシート部材Ｓから切り取ることによって形成される。ただし、穿刺補助具１００の装着状態において患者の手Ｈの形（姿勢）を穿刺しやすい形にできれば、第２開口部２４は設けなくてもよい。
【００２２】
（シート部材）
次に、穿刺補助具１００を構成するシート部材Ｓについて説明する。本実施形態において穿刺補助具１００は、図５に示すように一枚のプラスチック等のシート部材Ｓから形成している。シート部材Ｓは、図５に示すように平面視した際に略矩形状を有する。
【００２３】
シート部材Ｓは、図５に示すように握り部分Ｓ１０と、包囲部分Ｓ２０と、を備える。握り部分Ｓ１０は、穿刺補助具１００において握り部１０となる部位である。包囲部分Ｓ２０は、穿刺補助具１００において壁部２０となる部位である。このように、握り部１０及び壁部２０は、同一のシート部材Ｓから形成している。
【００２４】
（握り部分）
握り部分Ｓ１０は、図５に示すようにシート部材Ｓの一部を構成する。握り部分Ｓ１０は、シート部材Ｓの一部を切り取り、丸めた状態に保持することで握り部１０に形成される。握り部分Ｓ１０は、図５に示すように本実施形態において略矩形状に形成される。ただし、患者によって握持可能であれば、握り部分の具体的な形状やシート部材における位置は図５に限定されない。
【００２５】
握り部分Ｓ１０は、図５に示すように第１係合部Ｓ１１、Ｓ１２と、第１係合部Ｓ１１、Ｓ１２と係合可能な第２係合部Ｓ１３、Ｓ１４と、を備える。第１係合部Ｓ１１、Ｓ１２と第２係合部Ｓ１３、Ｓ１４は、互いに係合することによって、握り部分Ｓ１０を丸めた状態に保持する。第１係合部Ｓ１１、Ｓ１２は、矩形状の握り部分Ｓ１０において短手方向（図５の横方向）に沿う辺に並べて設けている。
【００２６】
第１係合部Ｓ１１、Ｓ１２は、本実施形態において図５に示すように略山形に形成した切り込みを周囲から立ち上げることによって第２係合部Ｓ１３、Ｓ１４に係合可能に構成している。ただし、患者によって握持可能な形状にできれば、第１係合部の形状、数及び配置は図５に限定されない。
【００２７】
第２係合部Ｓ１３、Ｓ１４は、第１係合部Ｓ１１、Ｓ１２と係合可能に構成している。第２係合部Ｓ１３、Ｓ１４は、図５に示すように第１係合部Ｓ１１、Ｓ１２と同様に略矩形状の短手方向に沿う辺（図５の横方向）に複数並べて設けるとともに、シート部材Ｓを丸める方向（図５の縦方向）に沿って複数箇所設けている。第２係合部Ｓ１３、Ｓ１４は、図５に示すように第１係合部Ｓ１１、Ｓ１２と対向する辺に設けている。
【００２８】
第２係合部Ｓ１３、Ｓ１４は、本実施形態において略直線状の切り込みを複数設けることによって構成している。ただし、第１係合部Ｓ１１、Ｓ１２と係合し、患者の手Ｈの大きさに応じて握り部１０の大きさを段階的に変化できれば、第２係合部の形状、数、及び配置は第１係合部と同様に図５に限定されない。
【００２９】
（包囲部分）
包囲部分Ｓ２０は、シート部材Ｓにおいて握り部分Ｓ１０を除く部分から構成している。包囲部分Ｓ２０は、図５に示すように第１係合部Ｓ２１、Ｓ２２、Ｓ２３、Ｓ２４と、第１係合部Ｓ２１、Ｓ２２、Ｓ２３、Ｓ２４と係合可能な第２係合部Ｓ２５、Ｓ２６、Ｓ２７、Ｓ２８と、開口部Ｓ２９と、を備える。
【００３０】
第１係合部Ｓ２１、Ｓ２２、Ｓ２３、Ｓ２４と第２係合部Ｓ２５、Ｓ２６、Ｓ２７、Ｓ２８は、互いに係合することによって、包囲部分Ｓ２０を丸めた状態に保持する。第１係合部Ｓ２１、Ｓ２２、Ｓ２３、Ｓ２４は、略矩形状のシート部材Ｓの一辺（図５の縦方向）に並べて設けている。第１係合部Ｓ２１、Ｓ２２、Ｓ２３、Ｓ２４は、握り部分Ｓ１０の第１係合部Ｓ１１、Ｓ１２と同様に山形の切り込みを周囲から立ち上げ可能にして構成している。
【００３１】
第２係合部Ｓ２５、Ｓ２６、Ｓ２７、Ｓ２８は、第２係合部Ｓ１３、Ｓ１４と同様に第１係合部Ｓ２１、Ｓ２２、Ｓ２３、Ｓ２４と係合可能に構成している。第２係合部Ｓ２５、Ｓ２６、Ｓ２７、Ｓ２８は、図５に示すようにシート部材Ｓにおいて第１係合部Ｓ２１、Ｓ２２、Ｓ２３、Ｓ２４と対向する辺（図５の縦方向）に複数配置するとともに、シート部材Ｓを丸める方向（図５の横方向）に沿って複数箇所設けている。
【００３２】
ただし、第１係合部Ｓ２１、Ｓ２２、Ｓ２３、Ｓ２４と係合し、手Ｈの大きさに応じて壁部２０の大きさを段階的に変化できれは、第１係合部Ｓ２１、Ｓ２２、Ｓ２３、Ｓ２４の形状、数、及び配置は図５に限定されない。第２係合部Ｓ２５、Ｓ２６、Ｓ２７、Ｓ２８についても同様である。
【００３３】
開口部Ｓ２９は、穿刺補助具１００における第１開口部２３となる部位である。開口部Ｓ２９は、第１係合部Ｓ２１、Ｓ２２、Ｓ２３、Ｓ２４と第２係合部Ｓ２５、Ｓ２６、Ｓ２７、Ｓ２８の間に設けている。開口部Ｓ２９は、シート部材Ｓに形成した切り込みを完全に切り取らない状態に構成している。また、開口部Ｓ２９は、図５の破線にて示すように切り残した部分に図５の破線にて示すように折り目を設けている。このように構成することによって、開口部Ｓ２９の大きさを患者の穿刺部位の大きさに合わせて調整できる。
【００３４】
なお、開口部Ｓ２９の位置や形状は、穿刺器具を穿刺部位に穿刺でき、穿刺部位を止血できれば図５に示す形状及び配置に限定されない。
【００３５】
（使用例）
次に本実施形態に係る穿刺補助具１００の使用例について説明する。まず、医師や看護師等の使用者は、カテーテル等とともにシート部材Ｓを滅菌された包装袋（図示省略）から取り出す。そして、シート部材Ｓにおける握り部分Ｓ１０を包囲部分Ｓ２０から分離させる。握り部分Ｓ１０と包囲部分Ｓ２０との分離は、握り部分Ｓ１０と包囲部分Ｓ２０との境界に予め切り込みを設け、当該切り込みを利用して行ってもよいし、はさみなどで単純に切り取ってもよく、又は他の方法で行ってもよい。
【００３６】
次に、使用者は、シート部材Ｓの握り部分Ｓ１０を丸めて、握り部分Ｓ１０の第１係合部Ｓ１１、Ｓ１２を第２係合部Ｓ１３、Ｓ１４に係合させ、握り部１０を形成する。
【００３７】
次に、使用者は、シート部材Ｓの包囲部分Ｓ２０を丸めて、包囲部分Ｓ２０の第１係合部Ｓ２１、Ｓ２２、Ｓ２３、Ｓ２４を第２係合部Ｓ２５、Ｓ２６、Ｓ２７、Ｓ２８に係合させる。
【００３８】
次に、使用者は、切り込みを入れた開口部Ｓ２９を周囲から立ち上げる。これにより、第１壁部２１、第２壁部２２、第１開口部２３、及び第２開口部２４を備えた壁部２０が形成される。
【００３９】
次に、使用者は、握り部１０を患者の手Ｈで握持させる。図１では右手を示しているが、もちろん左手に使用してもよい。これにより、患者の手Ｈが握り部１０を握った形（姿勢）となる。
【００４０】
次に、使用者は、握り部１０を握持させた患者の手Ｈに壁部２０を装着させる。これにより、患者の手Ｈの握り部１０に対する握り度合いが調整される。握り部１０と壁部２０によって患者の手Ｈを適度な力で握った形（姿勢）にすることができる。
【００４１】
この状態において医師は、穿刺器具等を用いて患者のｓ−ＲＡやｄ−ＲＡ等の穿刺部位に穿刺を行う。次に、医師は穿刺器具を抜去し、イントロデューサーシースやダイレーターを用いて穿刺部位にカテーテル等の医療器具の導入部位を形成する。そして、医師はカテーテル等を用いて手技を行う。
【００４２】
手技が終了したら、医師はカテーテル等の医療器具を生体外に抜去する。そして、止血を行なった後、使用者は壁部２０を手Ｈから取り外し、握り部１０を手Ｈから取り外す。
【００４３】
以上、説明したように本実施形態に係る穿刺補助具１００は、握り部１０と、壁部２０と、を有する。握り部１０は、患者のいずれかの手Ｈによって握持可能に構成される。壁部２０は、握り部１０の外方に配置され、手Ｈの穿刺部位を露出させるとともに手Ｈの指を伸ばした状態とする事を妨げる。
【００４４】
ｄＴＲＩにおける穿刺の際には手Ｈを握った形（姿勢）とすることがよいものの、握りこみが強すぎると、筋肉が硬直し、血管が収縮するため、穿刺が難しくなる。これについて、本実施形態にかかる穿刺補助具１００は、上記のように握り部１０と壁部２０によって患者の手Ｈを握った形（姿勢）とでき、ｄ−ＲＡやｓ−ＲＡ等のｄＴＲＩの際に手Ｈを穿刺しやすい形（姿勢）にすることができる。また、握り部１０と壁部２０によって手Ｈの内側（掌側）と外側（手の甲側）から手Ｈを握った状態にするため、患者自身が手Ｈを握った状態に維持する負担を減らし、患者をリラックスした状態としやすくすることで疲労軽減を図ることができる。
【００４５】
また、壁部２０は、装着状態において患者の手Ｈを少なくとも部分的に包囲する第１壁部２１と、装着状態において患者の前腕を少なくとも部分的に包囲する第２壁部２２と、を備える。このように第１壁部２１と第２壁部２２とによって患者の手Ｈから前腕に亘る部分を覆うことで手首の動きを抑制し、より穿刺しやすい形（姿勢）とすることができる。
【００４６】
また、壁部２０は、穿刺針を穿刺部位に穿刺可能な第１開口部２３を備えるように構成している。そのため、穿刺補助具１００によって患者の手Ｈの形（姿勢）を調整した状態で穿刺や止血を行うことができる。
【００４７】
また、握り部１０は、第１係合部Ｓ１１、Ｓ１２と、第１係合部Ｓ１１、Ｓ１２と係合可能な第２係合部Ｓ１３、Ｓ１４と、を備える。壁部２０は、第１係合部Ｓ２１、Ｓ２２、Ｓ２３、Ｓ２４と、第１係合部Ｓ２１、Ｓ２２、Ｓ２３、Ｓ２４と係合可能な第２係合部Ｓ２５、Ｓ２６、Ｓ２７、Ｓ２８と、を備える。第１係合部Ｓ１１、Ｓ１２と第２係合部Ｓ１３、Ｓ１４、及び第１係合部Ｓ２１、Ｓ２２、Ｓ２３、Ｓ２４と第２係合部Ｓ２５、Ｓ２６、Ｓ２７、Ｓ２８は、各々が係合した状態でシート部材Ｓを丸めた状態に保持する。第２係合部Ｓ１３、Ｓ１４、Ｓ２５、Ｓ２６、Ｓ２７、Ｓ２８は、シート部材Ｓを丸める方向に沿って複数箇所設けるように構成している。これにより、患者の手Ｈの大きさに合わせて握り部１０及び壁部２０の大きさを可変にして調節でき、一つの穿刺補助具にて多くの患者に対応することができる。
【００４８】
また、握り部１０及び壁部２０は、同一のシート部材Ｓから形成するように構成している。このように構成することによって、穿刺補助具１００を手術室等の医療現場で組み立てて使用する、衛生的で安全性の高いディスポーザブル（単回使用）に適した仕様にできる。また、穿刺補助具１００をシート部材Ｓから形成することで、組立前はシート部材Ｓがシート状に形成されているため、保管スペースをコンパクトにすることができる。あるいは、使用後に分解してシート状にすれば、廃棄の際、省スペース化により廃棄物の容積を減らすことができる。
【００４９】
なお、本発明は上述した実施形態にのみ限定されず、特許請求の範囲に応じて種々の変更が可能である。図６、図７、図８は本発明の変形例に係る穿刺補助具１００ａ、１００ｂ、１００ｃについて示す図である。
【００５０】
上記では握り部１０をシート部材Ｓから切り取った略矩形状の握り部分Ｓ１０を丸めることによって形成すると説明したが、これに限定されない。握り部１０ａには図６に示すような手Ｈの内側に粘着によって貼付可能な部材を設けることで、握り部１０ａを手Ｈにフィットしやすくできる。そのため、穿刺補助具１００ａによって手Ｈを穿刺しやすい形（姿勢）とすることができる。
【００５１】
また、握り部については患者の手Ｈを適度に丸めた状態に維持できれば、上記以外にも図７に示すように、シリコンやゲル等のような放射方向の内方に弾性変形可能な弾性部材によって握り部１０ｂを構成してもよい。このように構成することによって、握り部１０ｂを手Ｈにフィットしやすくし、穿刺補助具１００ｂによって手Ｈを穿刺しやすい形（姿勢）とすることができる。
【００５２】
また、握り部は、上記以外にも自動車のブレーキ等のように棒状の部材によって構成してもよい。
【００５３】
また、上記では、一枚のシート部材Ｓから握り部１０と壁部２０を形成すると説明したが、穿刺補助具によって患者の手を穿刺しやすい形（姿勢）にできれば、穿刺補助具は一枚のシート部材から握り部と壁部を構成しなくてもよい。すなわち、穿刺補助具は、握り部と壁部を２枚以上のシート部材から構成してもよい。また、穿刺補助具に係る握り部又は壁部は、シート部材以外にも例えば中空の環状部材（筒状部材）によって構成してもよい。
【００５４】
また、握り部１０を構成する握り部分Ｓ１０が第１係合部Ｓ１１、Ｓ１２と第２係合部Ｓ１３、Ｓ１４を備え、壁部２０を構成する包囲部分Ｓ２０が第１係合部Ｓ２１、Ｓ２２、Ｓ２３、Ｓ２４と第２係合部Ｓ２５、Ｓ２６、Ｓ２７、Ｓ２８とを備えると説明した。しかし、これに限定されず、第１係合部と第２係合部は、握り部又は壁部のいずれかのみが備えていてもよい。
【００５５】
また、穿刺補助具に係る握り部と壁部とは別体に構成すると説明したが、一体に構成してもよい。また、穿刺補助具に係る壁部は、上記において底面のない略円柱形状に構成すると説明したが、これに限定されず、装着状態において前腕と反対側に位置する手側の底面を設けるように構成してもよい。
【００５６】
また、穿刺補助具１００に係る壁部２０は、上記において略円柱形状の第１壁部２１と第２壁部２２とによって構成すると説明したが、これに限定されない。上記以外にも図８に示すように第１壁部２１ｃと第２壁部２２ｃとが、壁部２０ｃの長手方向Ｘにおける端部側から中間部に向かって窄むように形成された円錐台の斜面を備えてもよい。
【００５７】
このように構成することによって、壁部２０ｃを患者の手首にフィットしやすくし、手Ｈだけでなく手首の動きも抑制して手Ｈをより穿刺しやすい形（姿勢）とすることができる。もちろん、壁部が円錐台の斜面を備えていれば、壁部はその他の構成として円柱形状の側面等を合わせて備えていてもよい。
【００５８】
また、壁部２０の第１開口部２３は、シート部材Ｓにおいて切り込んだ部分を残し、折り返すと説明したが、これに限定されない。上記以外にも図１等において折り返す部分を第１開口部に残さずに完全に切り取るか、シート部材以外の方法で壁部を構成する場合、第１開口部は折り返す部分を設けなくてもよい。
【００５９】
また、壁部２０は、装着状態において前腕を少なくとも部分的に包囲する第２壁部２２を備えると説明したが、装着状態において手Ｈを少なくとも部分的に包囲できれば、壁部は第２壁部を備えていなくてもよい。
【符号の説明】
【００６０】
１００、１００ａ、１００ｂ、１００ｃ  穿刺補助具、
１０  握り部、
１０ａ  （粘着によって貼付可能な部材を備えた）握り部、
１０ｂ  （放射方向における内方に弾性変形可能な部材を備えた）握り部、
２０、２０ｃ  壁部、
２１  第１壁部、
２１ｃ  （円錐台の斜面を備えた）第１壁部、
２２  第２壁部、
２２ｃ  （円錐台の斜面を備えた）第２壁部、
２３  （第１）開口部、
Ｈ  手、
Ｓ  シート部材、
Ｓ１０  握り部分、
Ｓ２０  包囲部分、
Ｓ１１、Ｓ１２、Ｓ２１、Ｓ２２、Ｓ２３、Ｓ２４  第１係合部、
Ｓ１３、Ｓ１４、Ｓ２５、Ｓ２６、Ｓ２７、Ｓ２８  第２係合部、
Ｓ２９  開口部、
Ｘ  長手方向。
【図１】
2019208954.tif 000003
【図２】
2019208954.tif 000004
【図３】
2019208954.tif 000005
【図４】
2019208954.tif 000006
【図５】
2019208954.tif 000007
【図６】
2019208954.tif 000008
【図７】
2019208954.tif 000009
【図８】
2019208954.tif 000010